(57)【特許請求の範囲】
【請求項１】
機器本体に対して回動可能に取り付けられたプレートと、前記プレートに対してスライド移動可能に取り付けられ、閉じ位置では前記機器本体と係合する蓋本体と、を有し、
前記プレートに、前記蓋本体がスライド移動する方向に延びるガイド部を設け、前記蓋本体に、前記ガイド部にガイドされるスライド部を設け、
前記蓋本体を前記機器本体に対して開く際には、前記蓋本体を前記機器本体との係合を解除する係合解除位置にスライドさせた後、前記プレートを前記機器本体に対して回動させて前記蓋本体を開き位置に移動させる電子機器において、
前記蓋本体が前記係合解除位置となるときの前記蓋本体のスライド方向と直交する方向における前記ガイド部と前記スライド部との隙間を、前記蓋本体が前記閉じ位置となるときの前記隙間より小さくすることを特徴とする電子機器。
【請求項２】
前記ガイド部は前記プレートに形成される長穴部であり、
前記スライド部は前記蓋本体に形成され、前記長穴部を貫通するダボであり、
前記蓋本体が前記係合解除位置となるときの前記蓋本体のスライド方向と直交する方向における前記長穴部と前記ダボとの隙間が、前記蓋本体が前記閉じ位置となるときの前記隙間より小さくなるように、前記長穴部を形成することを特徴とする請求項１に記載の電子機器。
【請求項３】
前記ガイド部は前記プレートに形成される曲げ部であり、
前記スライド部は前記蓋本体に形成され、前記曲げ部に対向配置されるリブであり、
前記蓋本体が前記係合解除位置となるときの前記蓋本体のスライド方向と直交する方向における前記曲げ部と前記リブとの隙間が、前記蓋本体が前記閉じ位置となるときの前記隙間より小さくなるように、前記リブに前記曲げ部に向けて突出する凸部を形成することを特徴とする請求項１または２に記載の電子機器。
【請求項４】
機器本体に対して回動可能に取り付けられたプレートと、前記プレートに対してスライド移動可能に取り付けられ、閉じ位置では前記機器本体と係合する蓋本体と、を有し、
前記プレートに、ヒンジ部を設け、前記機器本体に、前記ヒンジ部に挿入された軸を支持する軸受部を設け、
前記蓋本体を前記機器本体に対して開く際には、前記蓋本体を前記機器本体との係合を解除する係合解除位置にスライドさせた後、前記プレートを前記機器本体に対して回動させて前記蓋本体を開き位置に移動させる電子機器において、
前記蓋本体が前記開き位置となるときの前記プレートの回転軸線方向における前記軸受部と前記ヒンジ部との隙間を、前記蓋本体が前記閉じ位置となるときの前記隙間より小さくすることを特徴とする電子機器。
【請求項５】
前記蓋本体を前記閉じ位置から前記係合解除位置に向けて付勢する第１の付勢手段を備えることを特徴とする請求項１〜４のいずれか一項に記載の電子機器。
【請求項６】
前記プレートを前記閉じ位置から前記開き位置に向けて付勢する第２の付勢手段を備えることを特徴とする請求項１〜５のいずれか一項に記載の電子機器。
【発明の詳細な説明】
【技術分野】
【０００１】
本発明は、例えば、アクセサリ等の収納部を塞ぐ蓋を備えるデジタルカメラ等の電子機器に関する。
【背景技術】
【０００２】
カメラ等の精密電子機器では、電池やメモリカード等のアクセサリを収納部に収納し、その収納部を可動式の蓋で塞ぐものがある。アクセサリの着脱を容易にするには、開いた蓋が収納部から十分に離れて退避していることが望ましく、また、デザイン性の観点から、蓋を閉じたときは蓋と機器本体とが面一となることが望ましい。
【０００４】
従来のデジタルカメラでは、プレート（ブラケット２４、支持部材３）がカメラ本体に軸支され、プレートには蓋本体（バッテリーカバー１２、蓋体２）がプレートに対してスライドするように、取り付けられる（特許文献１、特許文献２参照）。なお、括弧内の部材はそれぞれ特許文献１、特許文献２の開示に対応している。
【０００５】
蓋を閉じた状態では、蓋本体に設けた爪部（係止爪２８、爪片２２）がカメラ本体のフック部（係止孔２５、鉤片１２）に係合して蓋の閉状態を維持し、蓋を開くときは、プレートがカメラ本体に当接する範囲まで蓋が回転可能になる。
【特許文献１】特開平９−９２２４３号公報（第４頁、図３）
【特許文献２】特開２００６−２５２９６９号公報（第６頁、図１）
【発明の開示】
【発明が解決しようとする課題】
【０００６】
上述した従来のデジタルカメラでは蓋本体をスライドさせて爪部とフック部との係合を解除した後、蓋をカメラ本体に対して回動させる構成となっている。したがって、蓋をカメラ本体に対してスムースに開閉するには、蓋本体とプレートの間および軸受部とプレートのヒンジ部との間にクリアランスをもうける必要がある。
【０００７】
しかしながら、このクリアランスが大きい場合には、蓋の開閉時に蓋本体がカメラ本体に干渉し易くなる。このため、カメラ本体の表面を傷つけたり、蓋本体が破損したりするおそれが生じる。
【０００８】
また、クリアランスが大きいと、蓋本体１２１のがたつきが大きくなり、蓋１２０の開閉動作を行う際に、部材同士が摺動して部材が削れたり、削れカスが生じたりするなどの問題も招き易い。
【０００９】
そこで、本発明は、蓋を開閉する際に、蓋が機器本体へ干渉したり、蓋ががたついたり、蓋が位置ずれを起こしたりするのを防止して、蓋の開閉動作をスムースに行うことができる電子機器を提供することを目的とする。
【課題を解決するための手段】
【００１０】
上記目的を達成するために、本発明の電子機器は、機器本体に対して回動可能に取り付けられたプレートと、前記プレートに対してスライド移動可能に取り付けられ、閉じ位置では前記機器本体と係合する蓋本体と、を有し、前記プレートに、前記蓋本体がスライド移動する方向に延びるガイド部を設け、前記蓋本体に、前記ガイド部にガイドされるスライド部を設け、前記蓋本体を前記機器本体に対して開く際には、前記蓋本体を前記機器本体との係合を解除する係合解除位置にスライドさせた後、前記プレートを前記機器本体に対して回動させて前記蓋本体を開き位置に移動させる電子機器において、前記蓋本体が前記係合解除位置となるときの前記蓋本体のスライド方向と直交する方向における前記ガイド部と前記スライド部との隙間を、前記蓋本体が前記閉じ位置となるときの前記隙間より小さくすることを特徴とする。
【００１１】
本発明の電子機器は、機器本体に対して回動可能に取り付けられたプレートと、前記プレートに対してスライド移動可能に取り付けられ、閉じ位置では前記機器本体と係合する蓋本体と、を有し、前記プレートに、ヒンジ部を設け、前記機器本体に、前記ヒンジ部に挿入された軸を支持する軸受部を設け、前記蓋本体を前記機器本体に対して開く際には、前記蓋本体を前記機器本体との係合を解除する係合解除位置にスライドさせた後、前記プレートを前記機器本体に対して回動させて前記蓋本体を開き位置に移動させる電子機器において、前記蓋本体が前記開き位置となるときの前記プレートの回転軸線方向における前記軸受部と前記ヒンジ部との隙間を、前記蓋本体が前記閉じ位置となるときの前記隙間より小さくすることを特徴とする。
【発明の効果】
【００１２】
本発明の電子機器によれば、蓋本体を開閉する際に、蓋本体が機器本体へ干渉したり、蓋本体ががたついたり、蓋本体が位置ずれを起こしたりするのを防止することができるので、蓋本体の開閉動作をスムースに行うことができる。
【発明を実施するための最良の形態】
【００１３】
以下、本発明の実施の形態の一例を図面を参照して説明する。
【００１４】
図１は、本発明の電子機器の実施の形態の一例であるデジタルカメラを底部側から見た斜視図である。
【００１５】
本実施形態のデジタルカメラは、図１に示すように、カメラ本体（機器本体）１の底面に蓋２が開閉自在に設けられている。そして、蓋２に設けられたロックレバー９の操作部９ａをＺ（＋）方向にスライド移動させながら蓋２をＸ（−）方向にずらすと、図２に示すように、蓋２が開く方向に回転して収納部３が開口される。これにより、電池４，５やメモリカード６などのアクセサリ類を収納部３に出し入れすることが可能になる。
【００１６】
図３に、蓋２の分解斜視図を示す。蓋２は、蓋本体７、プレート８、押さえ板１２、電極板１３、ロックレバー９を備える。
【００１７】
蓋本体７は、モールド材等で形成され、その内側には、ステンレス板等で形成されたプレート８が蓋本体７の閉じ位置と開き位置との間で蓋本体７に対して相対的にＸ方向にスライド移動可能に取り付けられている。プレート８は、プレート８に設けた長穴部（ガイド部）８ａに、蓋本体７の内側に設けられたダボ（スライド部）７ａを貫通させることで、蓋本体７に取り付けられる。
【００１８】
また、蓋本体７の内側には、ダボ７ａを挟むようにガイドリブ（スライド部）７ｂ，７ｃがＸ方向に沿って延びており、ガイドリブ７ｂ，７ｃは、プレート８に設けられた曲げ部（ガイド部）８ｂ，８ｃに所定の隙間をもって対向配置される。これにより、プレート８は、長穴部８ａに貫通させたダボ７ａの可動範囲でガイドリブ７ｂ，７ｃに沿って蓋本体７に対してＸ方向に相対的にスライド動作が可能となる。
【００１９】
ロックレバー９は、蓋本体７の内側に設けた摺動面７ｄに配置され、蓋本体７の穴７ｅから操作部９ａが外部側へ突出し、フック部９ｂがプレート８の係合部８ｄに係合してプレート８のＸ方向のスライド移動を規制する。また、ロックレバー９は、フック部９ｂがプレート８の係合部８ｄに係合した状態が維持されるように付勢バネ１０に押された状態となっている。ロックレバー９のフック部９ｂとプレート８の係合部８ｄとの係合が解除された場合は、スライドバネ（第１の付勢手段）１１によって蓋本体７が閉じ位置からＸ（−）方向の係合解除位置にスライド移動するように付勢される。
【００２０】
ここで、本実施形態では、図５に示すように、ガイドリブ７ｂ，７ｃのＸ（＋）側の端部に、それぞれ幅方向外側に張り出す凸部７ｋが設けられている。そして、図４及び図５に示すように、凸部７ｋが設けられている部位でのガイドリブ７ｂ，７ｃの外面間の寸法がＬ１′とされ、凸部７ｋが設けられていない部位でのガイドリブ７ｂ，７ｃの外面間の寸法がＬ１とされている。
【００２１】
ここで、プレート８の曲げ部８ｂ，８ｃの外面間の寸法をＬ２とすると、蓋本体７が閉じ位置から係合解除位置にスライド移動する途中までのガイドリブ７ｂ，７ｃと曲げ部８ｂ，８ｃとのＺ方向の隙間の合計は、Ｌ２−Ｌ１＝ΔＬ１２となる。ここで、Ｚ方向は、プレート８の回転軸線方向である。一方、蓋本体７の係合解除位置でのガイドリブ７ｂ，７ｃと曲げ部８ｂ，８ｃとのＺ方向の隙間の合計は、ΔＬ１２より小さいＬ２−Ｌ１′＝ΔＬ１２′（＜ΔＬ１２）となる。
【００２２】
また、プレート８の長穴部８ａの幅寸法についても、図４及び図５に示すように、Ｌ３の部分のＸ（−）側にＬ３より狭いＬ３′の部分が設けてある。ここで、蓋７のダボ７ａの径をＬ４とすると、蓋本体７が閉じ位置から係合解除位置にスライド移動する途中までの長穴部８ａとダボ７ａとのＺ方向の隙間の合計は、Ｌ３−Ｌ４＝ΔＬ３４となる。一方、蓋本体７の係合解除位置での長穴部８ａとダボ７ａとのＺ方向の隙間の合計は、ΔＬ３４より小さいＬ３′−Ｌ４＝ΔＬ３４′（＜ΔＬ３４）となる。
【００２３】
図３に戻って、押さえ板１２は、モールド材等で形成され、ビス穴１２ａを蓋本体７のダボ７ａに合わせ、爪部１２ｂを蓋本体７のフック部７ｇに掛けるようにして該蓋本体７に取り付けられる。また、押さえ板１２には、誤接触防止リブ１２ｃが設けられている。
【００２４】
誤接触防止リブ１２ｃは、単三電池等の電池４，５を正負極の向きを逆にして収納部３に収納した場合に、逆方向に電流が流れてカメラ本体１の電子回路が破損するのを防ぐためのものである。
【００２５】
即ち、図６に示すように、電池４，５を正負極の向きを正しくして収納部３に収納すれば、図７に示すように、電極４の端面に正極４ａが突出しているので、正極４ａが電極板１３の端子１３ｃに接して導通する。
【００２６】
図１０に、電池４，５を正負極の向きを正しくして収納部３に収納した状態での該収納部３の部分断面図を示す。図１０に示すように、収納部３の底部には、電池４の負極４ｂと適度な接触圧で接触するバネ端子１５と、電池５の正極５ａと適度な接触圧で接触するバネ端子１６が設けられている。
【００２７】
一方、図８に示すように、電池４，５を正負の向きを逆にして収納部３に収納すると、図９に示すように、電池４の端面は突出しない負極４ｂとなるが、負極４ｂと電極板１３の端子１３ｃとの接触は誤接触防止リブ１２ｃに妨げられる。これにより、電池４，５を正負極の向きを逆にして収納部３に収納した場合に、逆方向に電流が流れるのが防止される。
【００２８】
電極板１３は、導電性の板バネ材で形成され、ビス穴１３ａを蓋本体７のダボ７ａに設けたビス穴７ｆに合わせ、爪部１３ｂを蓋本体７のフック部７ｈに掛けるようにして蓋本体７に取り付けられる。そして、電極板１３のビス穴１３ａから挿入したビス１４を、蓋本体７のダボ７ａのビス穴７ｆに螺合して締めつけることにより、蓋１０２が組み付けられる。
【００２９】
次に、図１１を参照して、蓋２をカメラ本体１へ取り付ける手順を説明する。
【００３０】
まず、図１１に示すように、プレート８のヒンジ部８ｅ，８ｆを収納部３の軸受部３ａ，３ｂ間に挿入して、ヒンジ部８ｅ，８ｆ間にトーションバネ（第２の付勢手段）１７を取り付ける。次に、軸受部３ａ，３ｂ、ヒンジ部８ｅ，８ｆ、トーションバネ１７に軸１８を差し込むことにより、プレート８がカメラ本体１に対して回動可能に取り付けられる。したがって、蓋２がカメラ本体１に対して回転自在に取り付けられる。かかる取り付け状態においては、軸１８の両端が軸受部３ａ，３ｂで支持され、トーションバネ１７の腕１７ａがプレート８を蓋本体７の閉じ位置から開き位置に付勢した状態となる。
【００３１】
蓋本体７には、爪部７ｉ，７ｊが設けられており、収納部３には、蓋２の閉じ位置で爪部７ｉ，７ｊに係合して蓋２の閉状態を維持するためのフック部３ｃ，３ｄが設けられている。収納部３は、蓋２が閉じた状態でカメラ本体１の外形を形成できるように、蓋２に応じた形状に切り欠かれている。また、収納部３の開口縁には、図１１に示すように、検出スイッチ１９が設けられている。検出スイッチ１９は、ロックレバー９がプレート８に対して蓋２の閉じ位置にあるか否かを検出するためのものである。ロックレバー９が蓋２の閉じ位置にあれば、ロックレバー９の突起部９ｃに検出スイッチ１９が押されて、検出信号がカメラ本体１の制御回路に出力される。
【００３２】
ここで、図１２を参照して、本実施形態では、ヒンジ部８ｅ，８ｆの外面間の幅は、Ｌ５の部分とＬ５より広いＬ５′の部分が設定されている。また、軸受部３ａ，３ｂの内面間の幅についても、Ｌ６の部分とＬ６より狭いＬ６′の部分とが設定されている。そして、ヒンジ部８ｅ，８ｆと軸受部３ａ，３ｂとのＺ方向の隙間の合計は、蓋２の閉じ位置では、Ｌ６−Ｌ５＝ΔＬ５６に設定され、蓋２の開き位置では、ΔＬ５６より小さいＬ６′−Ｌ５′＝ΔＬ５６′に設定されている。
【００３３】
ここで、デジタルカメラで通常の撮影をする場合などにおいては、図３で説明したように、ロックレバー９のフック部９ｂが付勢バネ１０に押されてプレート８の係合部８ｄに係合し、蓋２を閉じた状態が維持される。これにより、蓋２が不用意に開いたり、収納部３からアクセサリ類が飛び出たりするのを防止することができる。また、蓋２が閉じ位置にあれば、ロックレバー９の突起部９ｃに検出スイッチ１９が押されて、検出信号がカメラ本体１の制御回路に出力されるので、デジタルカメラは正常に作動することができる。
【００３４】
次に、蓋２を開けて収納部３から電池４，５やメモリカード６を取り出す場合は、図１を参照して、まず、ロックレバー９の操作部９ａをＺ（＋）方向にスライドさせる。すると、ロックレバー９の突起部９ｃが検出スイッチ１９から離れて、制御回路により蓋２が開き動作に移行したことが検出され、制御回路は、デジタルカメラの作動を速やかに停止する。
【００３５】
また、ロックレバー９のフック部９ｂとプレート８の係合部８ｄとの係合が解除されるので、スライドバネ１１の付勢力によって、蓋本体７はプレート８に対して閉じ位置から係合解除位置へスライド移動する。
【００３６】
ここで、図４及び図５で説明したように、蓋本体７が閉じ位置から係合解除位置にスライド移動する途中までのガイドリブ７ｂ，７ｃと曲げ部８ｂ，８ｃとのＺ方向の隙間の合計は、Ｌ２−Ｌ１＝ΔＬ１２となる。蓋本体７の係合解除位置でのガイドリブ７ｂ，７ｃと曲げ部８ｂ，８ｃとのＺ方向の隙間の合計は、ΔＬ１２より小さいＬ２−Ｌ１′＝ΔＬ１２′（＜ΔＬ１２）となる。
【００３７】
また、蓋本体７が閉じ位置から係合解除位置にスライド移動する途中までの長穴部８ａとダボ７ａとのＺ方向の隙間の合計は、Ｌ３−Ｌ４＝ΔＬ３４となる。蓋本体７の係合解除位置での長穴部８ａとダボ７ａとのＺ方向の隙間の合計は、ΔＬ３４より小さいＬ３′−Ｌ４＝ΔＬ３４′（＜ΔＬ３４）となる。
【００３８】
したがって、蓋本体７が閉じ位置から係合解除位置にスライド移動する途中までは、ガイドリブ７ｂ，７ｃと曲げ部８ｂ，８ｃとのＺ方向の隙間及び長穴部８ａとダボ７ａとのＺ方向の隙間は大きくなる。これにより、蓋本体７が係合解除位置に向けてスムースにスライド移動することができる。
【００３９】
また、蓋本体７の係合解除位置では、ガイドリブ７ｂ，７ｃと曲げ部８ｂ，８ｃとのＺ方向の隙間及び長穴部８ａとダボ７ａとのＺ方向の隙間は小さくなるので、蓋本体７のがたつきが少なくなり、蓋本体７がカメラ本体１に干渉しにくくなる。更に、スライドバネ１１の付勢力によって蓋本体７の位置が維持されるので、蓋本体７のがたつきが少ない状態を維持しやすくなる。
【００４０】
この状態で蓋本体２から手を離すと、蓋２は、トーションバネ１７がプレート８の回転動作を閉じ位置から開き位置に付勢していることにより、自動的に開く方向に回転し、トーションバネ１７の付勢力によって蓋２の開いた状態が維持される。
【００４１】
また、図１２で説明したように、ヒンジ部８ｅ，８ｆと軸受部３ａ，３ｂとのＺ方向の隙間の合計は、蓋２の閉じ位置では、Ｌ６−Ｌ５＝ΔＬ５６に設定され、蓋２の開き位置では、ΔＬ５６より小さいＬ６′−Ｌ５′＝ΔＬ５６′に設定されている。
【００４２】
したがって、蓋２の閉じ位置から開く動作の途中までは、ヒンジ部８ｅ，８ｆと軸受部３ａ，３ｂとのＺ方向の隙間の合計は大きくなるので、蓋２がスムースに回転動作することができる。
【００４３】
また、蓋２の開き位置では、ヒンジ部８ｅ，８ｆと軸受部３ａ，３ｂとのＺ方向の隙間の合計は小さくなるので、蓋２のがたつきが少なくなり、蓋２がカメラ本体１に衝突しにくくなる。更に、トーションバネ１７の付勢力によって蓋２の開き状態が維持されるので、蓋２のがたつきが少ない状態を維持しやすくなる。
【００４４】
次に、収納部３に電池４，５およびメモリカード６を収納すると、図１０に示すように、電池４の負極４ｂおよび電池５の正極５ａが適度の接触圧をもってバネ端子１５およびバネ端子１６に接触する。この状態で、蓋２を閉じると、図７に示すように、電池４の正極４ａが端子１３ｃに接触して通電し、バネ端子１５，１６を通じてカメラ本体１へ電力が供給される。
【００４５】
また、電池４，５を収納部３に誤挿入したまま蓋２を閉じようとした場合も、蓋２のＺ方向の取付隙間量が小さく、Ｚ方向にずれにくいので、図９に示すように、蓋２を閉じる過程において誤接触防止リブ１２ｃが電池４の端面の負極４ｂに正しく接する。したがって、電極板１３の端子１３ｃと電池４の負極４ｂとの間に隙間が確保され、逆電流の発生による制御回路の破損を防ぐことができる。
【００４６】
そして、この状態で蓋２を回転させて閉じ、さらに蓋本体７をＸ（＋）方向にスライドさせると、付勢バネ１０に押されてロックレバー９のフック部９ｂがプレート８の係合部８ｄに係合し、蓋２が閉じた状態に維持される。蓋２の閉じ位置においては、従来と同様に、ΔＬ１２、ΔＬ３４、ΔＬ５６分の隙間をＺ方向に持たせているので、部品寸法のばらつき等があっても蓋本体７を収納部３に略一致する様に移動させることができる。
【００４７】
なお、本発明は上記実施の形態に例示したものに限定されるものではなく、本発明の要旨を逸脱しない範囲において適宜変更可能である。
【００４８】
例えば、上記実施の形態では、電子機器として、デジタルカメラを例示したが、これに限定されず、デジタルカメラ以外の電子機器に本発明を適用してもよい。
【図面の簡単な説明】
【００４９】
【図１】本発明の電子機器の実施の形態の一例であるデジタルカメラを底部側から見た斜視図である。
【図２】図１のデジタルカメラの蓋が開いた状態を示す斜視図である。
【図３】蓋の分解斜視図である
【図４】プレートを取り付けた蓋本体を内側から見た平面図である。
【図５】（ａ）はガイドリブを示す図、（ｂ）は長穴部を示す図である。
【図６】カメラ本体の収納部に電池が正しく収納された状態を示す斜視図である。
【図７】図６の状態で蓋を閉じた場合の収納部の断面図である。
【図８】カメラ本体の収納部に電池が逆方向に収納された状態を示す斜視図である。
【図９】図８の状態で蓋を閉じた場合の収納部の断面図である。
【図１０】収納部の底部側の断面図である。
【図１１】カメラ本体に蓋を取り付ける手順を説明するための斜視図である。
【図１２】プレートのヒンジ部と収納部の軸受部との寸法関係を説明するための斜視図である。
【符号の説明】
【００５０】
１      カメラ本体
２      蓋
３      収納部
３ａ，３ｂ  軸受部
３ｃ，３ｄ  フック部
４，５  電池
４ａ，５ａ  正極
４ｂ，５ｂ  負極
６      メモリカード
７      蓋本体
７ａ    ダボ
７ｂ，７ｃ  ガイドリブ
７ｄ    摺動面
７ｅ    穴
７ｆ    ビス穴
７ｇ，７ｈ  フック部
７ｉ，７ｊ  爪部
８      プレート
８ａ    長穴部
８ｂ，８ｃ  曲げ部
８ｄ    係合部
８ｅ，８ｆ  ヒンジ
９      ロックレバー
９ａ    操作部
９ｂ    フック部
９ｃ    突起部
１０    付勢バネ
１１    スライドバネ
１２    押さえ板
１２ａ  ビス穴
１２ｂ  爪部
１２ｃ  誤接触防止リブ
１３    電極板
１３ａ  ビス穴
１３ｂ  爪部
１３ｃ  端子
１５，１６  バネ端子
１７    トーションバネ
１８    軸
１９    検出スイッチ
【図１】
0005403915.tif 000002
【図２】
0005403915.tif 000003
【図３】
0005403915.tif 000004
【図４】
0005403915.tif 000005
【図５】
0005403915.tif 000006
【図６】
0005403915.tif 000007
【図７】
0005403915.tif 000008
【図８】
0005403915.tif 000009
【図９】
0005403915.tif 000010
【図１０】
0005403915.tif 000011
【図１１】
0005403915.tif 000012
【図１２】
0005403915.tif 000013